【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）のために使用するための少なくとも１つのバイナリコードシーケンスを決定することと、ここにおいて、前記バイナリコードシーケンスは、アダマールシーケンスとバイナリランダムシーケンスとの積に基づいて決定され、
前記１つまたは複数のトーンと前記決定されたバイナリコードシーケンスとを使用して、前記ＤＭＲＳを含む前記チャネルを送信することと
を備える、方法。
【請求項２】
前記アダマールシーケンスは、長さ１６であり、前記アダマールシーケンスは、セルＩＤに依存し、前記バイナリランダムシーケンスは、擬似ノイズ（ＰＮ）シーケンスまたはゴールドシーケンスを備える、請求項１に記載の方法。
【請求項３】
前記ＰＮまたはゴールドシーケンスは、前記バイナリコードシーケンスの第１のシンボルにおいてリセットされる、請求項２に記載の方法。
【請求項４】
前記擬似ノイズ（ＰＮ）およびゴールドシーケンスは、複数のセル間で共通であり、前記アダマールシーケンスは、セルＩＤに依存する、請求項２に記載の方法。
【請求項５】
前記バイナリコードシーケンスの長さは、前記チャネルのＴＴＩバンドリング長に少なくとも部分的に依存する、請求項１に記載の方法。
【請求項６】
前記バイナリコードシーケンスは、高い最小ハミング距離を有するバイナリコードブロックから取得され、前記高い最小ハミング距離を有する前記バイナリコードブロックは、サイクリックコードブロックを備える、請求項１に記載の方法。
【請求項７】
前記バイナリコードシーケンスは、直交列で形成されたアダマール行列から決定される、請求項１に記載の方法。
【請求項８】
前記バイナリコードシーケンスは、少なくとも第１および第２のアダマール行列から決定され、前記第１のアダマール行列は、直交列と、前記第１のアダマール行列をフリッピングすることによって形成される前記第２のアダマール行列とで形成される、請求項１に記載の方法。
【請求項９】
前記決定することは、
第１のトーン上でＤＭＲＳを送信するための第１のバイナリコードシーケンスが、直交列で形成された第１のアダマール行列から選択されることと、
第２のトーン上でＤＭＲＳを送信するための第２のバイナリコードシーケンスが、直交列で形成された第２のアダマール行列から選択されることと、ここにおいて、前記第２のアダマール行列は、前記第１のアダマール行列をコンジュゲート（conjugate）させることによって形成される、
を決定することを備える、請求項１に記載の方法。
【請求項１０】
第１のトーン上でＤＭＲＳを送信するための第１のバイナリコードシーケンスが、第１のアダマール行列から選択され、
第２のトーン上でＤＭＲＳを送信するための第２のバイナリコードシーケンスがまた、前記第１のアダマール行列から選択される、請求項１に記載の方法。
【請求項１１】
システム情報ブロック（ＳＩＢ）メッセージを受信することをさらに備え、前記ＳＩＢメッセージは、ベースシーケンスのインジケーション（indication）を備え、前記バイナリコードシーケンスを決定することは、前記インジケーションに基づいている、請求項１に記載の方法。
【請求項１２】
前記バイナリコードシーケンスを決定することは、セルＩＤに基づいてベースシーケンスを決定することを備える、請求項１に記載の方法。
【請求項１３】
基地局によるワイヤレス通信のための方法であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）のために使用するための少なくとも１つのバイナリコードシーケンスを決定することと、ここにおいて、前記バイナリコードシーケンスは、アダマールシーケンスとバイナリランダムシーケンスとの積に基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタすることと
を備える、方法。
【請求項１４】
ワイヤレス通信のための装置であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）のために使用するための少なくとも１つのバイナリコードシーケンスを決定するための手段と、ここにおいて、前記バイナリコードシーケンスは、アダマールシーケンスとバイナリランダムシーケンスとの積に基づいて決定され、
前記１つまたは複数のトーンと前記決定されたバイナリコードシーケンスとを使用して、前記ＤＭＲＳを含む前記チャネルを送信するための手段と
を備える、装置。
【請求項１５】
ワイヤレス通信のための装置であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）のために使用するための少なくとも１つのバイナリコードシーケンスを決定するための手段と、ここにおいて、前記バイナリコードシーケンスは、アダマールシーケンスとバイナリランダムシーケンスとの積に基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタするための手段と
を備える、装置。
【手続補正２】
【補正対象書類名】明細書
【補正対象項目名】０１２１
【補正方法】変更
【補正の内容】
【０１２１】
[0117]  特許請求の範囲は、上記に例示されたとおりの構成およびコンポーネントに限定されるものではないことが理解されるべきである。本願の特許請求の範囲から逸脱することなく、様々な変更、交換、および変形が、上述された方法および装置の配置、動作、および細部に対して行われ得る。
以下に本願の出願当初の特許請求の範囲に記載された発明を付記する。
［Ｃ１］
ユーザ機器（ＵＥ）によるワイヤレス通信のための方法であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することと、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルを送信することと
を備える、方法。
［Ｃ２］
前記バイナリコードシーケンスは、アダマールシーケンスと前記バイナリランダムシーケンスとの積に基づいて決定される、Ｃ１に記載の方法。
［Ｃ３］
前記アダマールシーケンスは、長さ１６である、Ｃ２に記載の方法。
［Ｃ４］
前記アダマールシーケンスは、セルＩＤに依存する、Ｃ２に記載の方法。
［Ｃ５］
前記バイナリランダムシーケンスは、擬似ノイズ（ＰＮ）またはゴールドシーケンスを備える、Ｃ２に記載の方法。
［Ｃ６］
前記ＰＮまたはゴールドシーケンスは、前記バイナリコードシーケンスの第１のシンボルにおいてリセットされる、Ｃ５に記載の方法。
［Ｃ７］
前記擬似ノイズ（ＰＮ）およびゴールドシーケンスは、複数のセル間で共通であり、前記アダマールシーケンスは、セルＩＤに依存する、Ｃ５に記載の方法。
［Ｃ８］
前記バイナリコードシーケンスは、線形サイクリックコードからのコードワードと前記バイナリランダムシーケンスとの積に基づいて決定される、Ｃ１に記載の方法。
［Ｃ９］
前記バイナリコードシーケンスの長さは、前記チャネルのバンドリング長に少なくとも部分的に依存する、Ｃ１に記載の方法。
［Ｃ１０］
前記バイナリコードシーケンスは、高い最小ハミング距離を有するバイナリコードブロックから取得され、前記高い最小ハミング距離を有する前記バイナリコードブロックは、サイクリックコードブロックを備える、Ｃ１に記載の方法。
［Ｃ１１］
前記バイナリコードシーケンスは、既知の基底ベクトルのセットの線形結合として決定される、Ｃ１に記載の方法。
［Ｃ１２］
前記バイナリコードシーケンスは、直交列で形成されたアダマール行列から決定される、Ｃ１に記載の方法。
［Ｃ１３］
前記バイナリコードシーケンスは、少なくとも第１および第２のアダマール行列から決定され、前記第１のアダマール行列は、直交列と、前記第１のアダマール行列をフリッピングすることによって形成される前記第２のアダマール行列とで形成される、Ｃ１に記載の方法。
［Ｃ１４］
前記決定することは、
第１のトーン上でＤＭＲＳを送信するための第１のバイナリコードシーケンスが、直交列で形成された第１のアダマール行列から選択されることと、
第２のトーン上でＤＭＲＳを送信するための第２のバイナリコードシーケンスが、直交列で形成された第２のアダマール行列から選択されることと
を決定することを備える、Ｃ１に記載の方法。
［Ｃ１５］
前記第２のアダマール行列は、前記第１のアダマール行列をフリッピングすることによって形成される、Ｃ１４に記載の方法。
［Ｃ１６］
第１のトーン上でＤＭＲＳを送信するための第１のバイナリコードシーケンスが、第１のアダマール行列から選択され、
第２のトーン上でＤＭＲＳを送信するための第２のバイナリコードシーケンスがまた、前記第１のアダマール行列から選択される、Ｃ１に記載の方法。
［Ｃ１７］
システム情報ブロック（ＳＩＢ）メッセージを受信することをさらに備え、前記ＳＩＢメッセージは、ベースシーケンスのインジケーション（indication）を備え、前記バイナリコードシーケンスを決定することは、前記インジケーションに基づいている、Ｃ１に記載の方法。
［Ｃ１８］
前記バイナリコードシーケンスを決定することは、セルＩＤに基づいてベースシーケンスを決定することを備える、Ｃ１に記載の方法。
［Ｃ１９］
前記バイナリコードシーケンスの前記決定は、前記少なくとも１つのトーンが３トーンを備える場合、３サイクリックシフトに基づいており、前記バイナリコードシーケンスの前記決定は、前記少なくとも１つのトーンが６トーンを備える場合、４サイクリックシフトに基づいている、Ｃ１に記載の方法。
［Ｃ２０］
システム情報ブロック（ＳＩＢ）メッセージを受信することをさらに備え、前記ＳＩＢメッセージは、サイクリックシフトの数のインジケーションを備え、前記バイナリコードシーケンスを決定することは、前記インジケーションに基づいている、Ｃ１に記載の方法。
［Ｃ２１］
前記バイナリコードシーケンスは、前記少なくとも１つのトーンが３トーンを備える場合、１２のベースシーケンスから決定され、前記バイナリコードシーケンスは、前記少なくとも１つのトーンが６トーンを備える場合、１４のベースシーケンスから決定される、Ｃ１に記載の方法。
［Ｃ２２］
前記バイナリコードシーケンスは、周波数領域中の４位相シフトキーイング（ＱＰＳＫ）変調方式を用いて送信される、Ｃ１に記載の方法。
［Ｃ２３］
サイクリックシフトを前記バイナリコードシーケンスに適用することをさらに備え、前記サイクリックシフトは、セルＩＤ、ＵＥ ＩＤ、またはスロットインデックスのうちの少なくとも１つに基づいて決定される、Ｃ１に記載の方法。
［Ｃ２４］
前記１つまたは複数のサブフレームは、複数のサブフレームを備え、前記決定することは、前記サブフレームの各々のためにＤＭＲＳとして使用するための異なるバイナリコードシーケンスを決定することを備える、Ｃ１に記載の方法。
［Ｃ２５］
前記バイナリコードシーケンスは、スクランブリングシーケンスを使用してランダム化され、前記スクランブリングシーケンスは、セルＩＤ、ＵＥ ＩＤ、またはスロット番号のうちの少なくとも１つに基づいて決定される、Ｃ１に記載の方法。
［Ｃ２６］
前記１つまたは複数のトーンは、複数のトーンを備え、前記バイナリコードシーケンスを決定することは、前記複数のトーンの各々のために異なるバイナリコードシーケンスを決定することを備える、Ｃ１に記載の方法。
［Ｃ２７］
基地局によるワイヤレス通信のための方法であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）として使用するための候補である少なくとも１つのバイナリコードシーケンスを決定することと、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタすることと
を備える、方法。
［Ｃ２８］
前記バイナリコードシーケンスは、アダマールシーケンスと前記バイナリランダムシーケンスとの積に基づいて決定される、Ｃ２７に記載の方法。
［Ｃ２９］
前記アダマールシーケンスは、長さ１６である、Ｃ２８に記載の方法。
［Ｃ３０］
前記アダマールシーケンスは、セルＩＤに依存する、Ｃ２８に記載の方法。
［Ｃ３１］
前記バイナリランダムシーケンスは、擬似ノイズ（ＰＮ）またはゴールドシーケンスを備える、Ｃ２８に記載の方法。
［Ｃ３２］
前記ＰＮまたはゴールドシーケンスは、前記バイナリコードシーケンスの第１のシンボルにおいてリセットされる、Ｃ３１に記載の方法。
［Ｃ３３］
前記擬似ノイズ（ＰＮ）およびゴールドシーケンスは、複数のセル間で共通であり、前記アダマールシーケンスは、セルＩＤに依存する、Ｃ３１に記載の方法。
［Ｃ３４］
前記バイナリコードシーケンスは、線形サイクリックコードからのコードワードと前記バイナリランダムシーケンスとの積に基づいて決定される、Ｃ２７に記載の方法。
［Ｃ３５］
前記バイナリコードシーケンスの長さは、前記チャネルのバンドリング長に少なくとも部分的に依存する、Ｃ２７に記載の方法。
［Ｃ３６］
前記バイナリコードシーケンスは、高い最小ハミング距離を有するバイナリコードブロックから取得され、前記高い最小ハミング距離を有する前記バイナリコードブロックは、サイクリックコードブロックを備える、Ｃ２７に記載の方法。
［Ｃ３７］
前記バイナリコードシーケンスは、既知の基底ベクトルのセットの線形結合として決定される、Ｃ２７に記載の方法。
［Ｃ３８］
前記バイナリコードシーケンスは、直交列で形成された少なくとも第１のアダマール行列から決定される、Ｃ２７に記載の方法。
［Ｃ３９］
前記バイナリコードシーケンスは、少なくとも第１および第２のアダマール行列から決定され、前記第１のアダマール行列は、直交列と、前記第１のアダマール行列をフリッピングすることによって形成される前記第２のアダマール行列とで形成される、Ｃ２７に記載の方法。
［Ｃ４０］
第１のトーン上でＤＭＲＳを送信するための第１のバイナリコードシーケンスが、直交列で形成された第１のアダマール行列から選択され
第２のトーン上でＤＭＲＳを送信するための第２のバイナリコードシーケンスが、直交列で形成された第２のアダマール行列から選択される、Ｃ２７に記載の方法。
［Ｃ４１］
前記第２のアダマール行列は、前記第１のアダマール行列をフリッピングすることによって形成される、Ｃ４０に記載の方法。
［Ｃ４２］
第１のトーン上のＤＭＲＳのために決定される第１のバイナリコードシーケンスが、第１のアダマール行列から選択され、
第２のトーン上のＤＭＲＳのために決定される第２のバイナリコードシーケンスはまた、前記第１のアダマール行列から選択される、Ｃ２７に記載の方法。
［Ｃ４３］
システム情報ブロック（ＳＩＢ）メッセージを送信することをさらに備え、前記ＳＩＢメッセージは、前記バイナリコードシーケンスを決定するために使用されるベースシーケンスのインジケーションを備える、Ｃ２７に記載の方法。
［Ｃ４４］
前記バイナリコードシーケンスを決定することは、セルＩＤに基づいてベースシーケンスを決定することを備える、Ｃ２７に記載の方法。
［Ｃ４５］
前記バイナリコードシーケンスの前記決定は、前記少なくとも１つのトーンが３トーンを備える場合、３サイクリックシフトに基づいており、前記バイナリコードシーケンスの前記決定は、前記少なくとも１つのトーンが６トーンを備える場合、４サイクリックシフトに基づいている、Ｃ２７に記載の方法。
［Ｃ４６］
システム情報ブロック（ＳＩＢ）メッセージを送信することをさらに備え、前記ＳＩＢメッセージは、前記バイナリコードシーケンスを決定するために使用されるサイクリックシフトの数のインジケーションを備える、Ｃ２７に記載の方法。
［Ｃ４７］
前記バイナリコードシーケンスは、前記少なくとも１つのトーンが３トーンを備える場合、１２のベースシーケンスから決定され、前記バイナリコードシーケンスは、前記少なくとも１つのトーンが６トーンを備える場合、１４のベースシーケンスから決定される、Ｃ２７に記載の方法。
［Ｃ４８］
前記バイナリコードシーケンスは、周波数領域中の４位相シフトキーイング（ＱＰＳＫ）変調方式を用いて送信される、Ｃ２７に記載の方法。
［Ｃ４９］
前記モニタすることは、前記ＵＥによって前記バイナリコードシーケンスに適用されるサイクリックシフトに関してモニタすることを備え、前記サイクリックシフトは、セルＩＤ、ＵＥ ＩＤ、またはスロットインデックスのうちの少なくとも１つに基づいて決定される、Ｃ２７に記載の方法。
［Ｃ５０］
前記１つまたは複数のサブフレームは、複数のサブフレームを備え、前記決定することは、前記サブフレームの各々のためにＤＭＲＳとして使用するための異なるバイナリコードシーケンスを決定することを備える、Ｃ２７に記載の方法。
［Ｃ５１］
前記バイナリコードシーケンスは、スクランブリングシーケンスを備え、前記スクランブリングシーケンスは、セルＩＤ、ＵＥ ＩＤ、またはスロット番号のうちの少なくとも１つに基づいて決定される、Ｃ２７に記載の方法。
［Ｃ５２］
前記１つまたは複数のトーンは、複数のトーンを備え、前記バイナリコードシーケンスを決定することは、前記複数のトーンの各々のために異なるバイナリコードシーケンスを決定することを備える、Ｃ２７に記載の方法。
［Ｃ５３］
ワイヤレス通信のための装置であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定するための手段と、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルを送信するための手段と
を備える、装置。
［Ｃ５４］
ワイヤレス通信のための装置であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）として使用するための候補である少なくとも１つのバイナリコードシーケンスを決定するための手段と、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタするための手段と
を備える、装置。